(57)【要約】【課題】垂れが幅方向全体にわたり布板状に形成されていることで、焼成時の収縮挙動が不均等になる。【解決手段】垂れ４に切込８を設けることによって、垂れ４が幅狭な垂れ部材４ａ、４ｂに分割されて、焼成時の歪みが略無くなる。而も、葺設状態における切込８内に、葺設状態における下方の隣接する２枚の平板瓦の並んだ突部７、７ａが嵌まり込んで塞がり、露出面１ａは平坦面になる。【選択図】　　　　図４
2004116064.tif 000002
【特許請求の範囲】
【請求項１】
平面視矩形状の瓦本体の葺設状態における露出面を平坦面とし、瓦本体の一側方部位を上方重合部とすると共に、瓦本体の他側方より下方重合部を一体突設し、瓦本体の頭側に垂れを一体形成すると共に、該垂れの下面中間部に幅広な下方開口状の切込を設け、尻側重合部の上面両側部に突部を設け、葺設状態における隣接する瓦の境界部に位置する並列状態の突部で、上方の瓦の切込を塞ぐ様にしたことを特徴とする平板瓦。
【請求項２】
突部の下面側に収容凹部を設けたことを特徴とする請求項１記載の平板瓦。
【請求項３】
下方重合部を中間部尻側寄りの部位で段部を介し屈曲したことを特徴とする請求項２記載の平板瓦。
【発明の詳細な説明】
【０００１】
【発明の属する技術分野】
本発明は、葺設状態における露出面が平坦になる千鳥葺き用の平板瓦に関する。
【０００２】
【従来の技術】
従来、かかる平板瓦にあっては、一般的に、一側部位を上方重合部とすると共に、他側方より下方重合部を一体突設し、頭側に幅方向全体にわたる垂れを一体形成している。
【０００３】
研究開発段階や出願段階で先行技術調査を行っておらず、記載すべき先行技術文献を知りません。
【０００４】
【発明が解決しようとする課題】
しかし、上記平板瓦にあっては、垂れが幅方向全体にわたり布板状に形成されているため、特に起立焼成時における収縮挙動が不均等で大きい歪みが発生し易いなど、解決せねばならない課題があった。
【０００５】
【課題を解決するための手段】
本発明は、上記従来技術に基づく、大きく歪み易い課題に鑑み、垂れに切込を設けることによって、垂れが幅狭な垂れ部材に分割されて、焼成時の歪みを略なくす様にして、上記課題を解決し、而も葺設状態における切込に、葺設状態における下方の隣接する２枚の瓦の並んだ突部が嵌まり込んで塞がり、露出面は平坦面になる様にしている。
又、突部の裏面側に収容凹部を設けたことによって、積み重ね時に下方の瓦の突部が上方の瓦の収容凹部内に収容されて、積重姿勢を安定させる様にしている。
【０００６】
【発明の実施の形態】
以下本発明の一実施例を図面に基づいて説明する。
図１、２は、本発明に係る平板瓦の平面及び底面の斜視図であり、図４は、葺設状態を示す斜視図である。
図４に示す様に、千鳥状に葺設する平板瓦にあっては、平面視略矩形状の瓦本体１の一側方に上方重合部２を設けると共に、他側方より下方重合部３を突設し、瓦本体１の頭側に垂れ４を一体形成している。
又、尻側下面に一対の引掛け５、５ａを形成すると共に、上面に前記引掛け５、５ａの収容凹部６、６ａを形成している。
【０００７】
垂れ４の中間部に切込８を形成して左右２枚の幅狭な垂れ部材４ａ、４ｂに分断し、瓦本体１の尻側重合部１ｂの上面の両側部に突部７、７ａを形成し、葺設状態における桁行方向に隣接する２枚の平板瓦の境界部で並列状態の突部７、７ａが、２枚の平板瓦を跨ぐ様にして葺設する上方の平板瓦の切込８内に嵌まり込んで該切込８を閉鎖する様にしている。
又、瓦本体１の下面における突部７、７ａの下方部位に該突部７、７ａの収容凹部９、９ａを形成し、下方重合部３における尻側部位を、瓦本体１の他側部上面の形状に合致させる様に屈曲させている。
つまり、葺設状態における隣接する瓦の上方重合部２の下面との間隔を全体的に略一定にすべく、下方重合部３を中間部尻側寄りの部位で傾斜状の段部１０を介し上方屈曲している。
【０００８】
次に本発明に係る平板瓦の作用について説明する。
垂れ４に切込８を形成することで、瓦本体１の幅全体に形成される垂れ４が幅狭な垂れ部材４ａ、４ｂに分断されるため、焼成時の姿勢を平伏状態又は起立状態のどちらにしても焼成時の変形が略無くなり、その結果露出面１ａが平坦になる平板瓦を焼成時の姿勢とは無関係に歩留り良く製造可能になる。
又、切込８により垂れ４を垂れ部材４ａ、４ｂに分断することで、このままでは切込８から風雨が侵入してしまうが、葺設状態における下方の隣接する２枚の瓦の並んだ突部７、７ａが、上方の瓦の垂れ４に形成した切込８内に嵌まり込んで、該切込８を突部７、７ａで塞ぐため、風雨が侵入せず、而も露出面１ａは平坦面になるため、全体的にフラットな屋根面が構築可能になる。
【０００９】
図３は、上記平板瓦の積重状態を示す斜視図であり、複数枚の平板瓦を積み重ねると、下方の平板瓦の収容凹部６、６ａ内に上方の平板瓦の引掛け５、５ａが嵌まり込むと共に、上方の平板瓦の収容凹部９、９ａ内に下方の平板瓦の突部７、７ａが嵌まり込んで、積重状態が安定する。
【００１０】
【発明の効果】
要するに本発明は、平面視矩形状の瓦本体１の葺設状態における露出面１ａを平坦面とし、瓦本体１の一側方部位を上方重合部２とすると共に、瓦本体１の他側方より下方重合部３を一体突設したので、葺設した平板瓦の下方重合部３上に、葺設する平板瓦の上方重合部２を重ねる様に桁行き方向に葺設すると共に、葺設状態の平板瓦の尻側重合部１ｂ位の上方に、葺設する平板瓦の頭側を重ねることで、全体的にフラットな屋根面を構築することが出来る。
又、瓦本体１の頭側に垂れ４を一体形成すると共に、該垂れ４の下面中間部に幅広な下方開口状の切込８を設けたので、
垂れ４が幅狭な垂れ部材４ａ、４ｂに分断することで焼成時の変形を略無くすことが出来るため、露出面１ａが平坦になる平板瓦を焼成時の姿勢とは無関係に歩留り良く製造することが出来る。
又、尻側重合部１ｂの上面両側部に突部７、７ａを設け、葺設状態における隣接する瓦の境界部に位置する並列状態の突部７、７ａで、上方の瓦の切込８を塞ぐ様にしたので、垂れ４に切込８を有した平板瓦で構築された、フラットな屋根面を有する完成した瓦屋根に防水機能を具備させることが出来る。
【００１１】
突部７、７ａの下面側に収容凹部９、９ａを設けたので、梱包・運搬時に積み重ねると、上方の平板瓦の収容凹部９、９ａ内に下方の平板瓦の突部７、７ａが嵌まり込むため、積重状態を安定的に維持することが出来、梱包・運搬作業の取扱性の向上を図ることが出来る。
【００１２】
下方重合部３を平板状のままにしておくと、収容凹部９、９ａ内の部位での瓦本体１と下方重合部３の境界部が分離するか、当該部位の肉厚が極めて薄くなってしまうが、下方重合部３を中間部尻側寄りの部位で段部１０を介し上方屈曲したので、収容凹部９、９ａ内の部位で瓦本体１と下方重合部３境界部が分離せず、当該部位の肉厚を確保出来るため、当該部位の強度を確保することが出来る等その実用的効果甚だ大である。
【図面の簡単な説明】
【図１】本発明に係る平板瓦の平面斜視図である。
【図２】図１の平板瓦の底面の斜視図である。
【図３】図１の平板瓦を重ねた状態を示す斜視図である。
【図４】図１の平板瓦の葺設状態を示す斜視図である。
【符号の説明】
１　　　瓦本体
１ａ　　　露出面
１ｂ　　　尻側重合部
２　　　上方重合部
３　　　下方重合部
４　　　垂れ
７、７ａ　突部
８　　　切込
９、９ａ　収容凹部
１０　　　段部
【図１】
2004116064.tif 000003
【図２】
2004116064.tif 000004
【図３】
2004116064.tif 000005
【図４】
2004116064.tif 000006